(57)【特許請求の範囲】
【請求項１】
上下方向に互いに離れ或いは出会って出し入れ口を開閉する上扉および下扉と、上記出し入れ口が開口される際、カゴ室の床と出し入れ口枠の下縁との間の間隙を塞ぐ塞ぎ板とを備えたダムウェータにおいて、
上記塞ぎ板は、上記カゴ室の床と上記出し入れ口枠の下縁との間に架け渡される幅を有し、当該幅方向において揺動するよう上記下扉の開放端側に枢着され、上記出し入れ口が上記上扉および下扉によって閉口されているとき、上記上扉と上記下扉との間に挟まれて略垂直状態で納められ、上記出し入れ口が開口されているとき、上記上扉による拘束が解かれて自重により水平となることを特徴とするダムウェータ。
【発明の詳細な説明】
【０００１】
【発明の属する技術分野】
本発明は、物品を上下階へと運ぶダムウェータに関し、詳しくは、上下方向に互いに離れ或いは出会って出し入れ口を開閉する上扉と下扉とを備えたダムウェータにおいて、出し入れ口が開口された際に生ずる、カゴ室と出し入れ口枠との間の間隙を塞ぐ手段に関する。
【０００２】
【従来の技術】
図４において従来のダムウェータを説明する。このダムウェータは、その出し入れ口１が開口された際に、カゴ室２と出し入れ口枠３との間に間隙４が生じ、この間隙４から、カゴ室２に出し入れする物品がこぼれ落ちてしまうという不都合があった。
【０００３】
【発明が解決しようとする課題】
本発明は、上記不都合の解消を目的とし、問題の間隙を塞ぐ手段を備えたダムウェータの提供を目的とする。
【０００４】
【課題を解決するための手段】
この発明は、上下方向に互いに離れ或いは出会って出し入れ口を開閉する上扉および下扉と、出し入れ口が開口される際、カゴ室の床と出し入れ口枠の下縁との間の間隙を塞ぐ塞ぎ板とを備えたダムウェータにおいて、塞ぎ板は、カゴ室の床と出し入れ口枠の下縁との間に架け渡される幅を有し、当該幅方向において揺動するよう下扉の開放端側に枢着され、出し入れ口が上扉および下扉によって閉口されているとき、上扉と下扉との間に挟まれて略垂直状態で納められ、出し入れ口が開口されているとき、上扉による拘束が解かれて自重により水平となることを特徴とする。
【０００８】
【発明の実施の形態】
実施の形態１．
実施の形態１は、上下方向に互いに離れ或いは出会って出し入れ口を開閉する上扉と下扉とを備えたダムウェータにおいて、出し入れ口が開口される際、ダムウェータのカゴ室の床と出し入れ口枠の下縁との間の間隙を塞ぐ隙間塞ぎ手段を有するもので、この隙間塞ぎ手段は、出し入れ口が開口された場合に、ダムウェータのカゴ室の床と出し入れ口枠の下縁との間に架け渡される幅を有し、この幅方向において垂直状態と水平状態との間で揺動するよう下扉の開放端側に設けられたものである。
以下、これを図１乃至図３に基づいて説明する。
図１は出し入れ口が閉口した状態を示す斜視図、図２は出し入れ口が開口した状態を示す斜視図、図３は隙間塞ぎ手段の各作動段階を（Ａ）乃至（Ｄ）にて示す説明図である。尚、図４と同一符号は実質的に同一内容を示す。
【０００９】
図１において、５は上扉、６は下扉であり、この上下扉５，６は、上下方向に互いに離れ或いは出会って出し入れ枠３によって形成された出し入れ口１を開閉する。
図２において、この出し入れ口１が開口される際には、ダムウェータのカゴ室２の床２１と出し入れ口枠３の下縁３１との間の間隙４を塞ぐ隙間塞ぎ手段７が設けられている。
図示の隙間塞ぎ手段７は、出し入れ口１が開口された場合に、ダムウェータのカゴ室２の床２１と出し入れ口枠３の下縁３１との間に架け渡される幅を有し、間隙４の長手方向に延在する塞ぎ板である。
塞ぎ板７は、この幅方向において垂直状態と水平状態との間で揺動するように下扉６の開放端側に、この例では蝶番７１を介して揺動自在に枢着されている。
【００１０】
図３（Ａ）〜（Ｄ）において、間隙塞ぎ手段としての塞ぎ板７の作動を説明する。
図３（Ａ）において、塞ぎ板７は、出し入れ口１が上下扉５，６によって閉口されているとき、上扉５の開放端側即ち下端側内部に、その幅方向が略垂直状態で納められている。
図示の例では、下扉６の開放端側即ち上端側の出し入れ口１の正面側の縁に枢着部７１が設けられ、垂直状態の塞ぎ板７が、下扉６の正面側の延長面上に位置するよう垂直状態に位置されている。即ち、塞ぎ板７の幅方向一方端側が上扉５の正面部材の背面と下扉６の正面側面との間に挟まれることで、塞ぎ板７が垂直状態となっている。
この場合、塞ぎ板７の幅方向他端側は、上扉５の下端側内部に形成されている収納部７２に、下扉６の開放端側部分と共に納められている。この収納部７２には、上扉５の背面側に開口部７３を設けて、塞ぎ板７が揺動して当該収納部７２に出入できるように構成されている。
【００１１】
図３（Ｂ）乃至（Ｄ）において、塞ぎ板７は、出し入れ口１が開口される際、即ち、上下扉５，６が互いに上下方向に離れて離脱して行くに従い、上扉５の収納部７による拘束が解かれて行き、遂には、塞ぎ板７自体がその枢着部７１の幅方向左右のアンバランスにより、下扉６の開放端側において、自重でその幅方向が水平になるように回動する。
塞ぎ板７の水平状態は、図３（Ｃ）に示すように、下扉６の開放端側の平坦面において支持され、この水平状態を保ちつつ、下扉６は下がり、遂には、図３（Ｄ）に示すように、出し入れ口１が開口されたとき、カゴ室２の床２１と出し入れ口枠３の下縁３１との間に架け渡された状態となる。
こうして、カゴ室２の床２１と出し入れ口枠３との間の間隙４は塞がれる。
【００１２】
上記実施の形態１において、出し入れ口１が閉じられる際には、下扉６の上昇に応じて、塞ぎ板７が次第に元の垂直状態に復帰するように、復帰駆動手段を設けるとよい（非図示）。
復帰駆動手段としては、例えば、下扉６の内部に塞ぎ板７を下方から突き上げて塞ぎ板７を垂直状態にする突き上げ部材を上下動自在に設けると共に、下扉６の上昇に応じて前記突き上げ部材を上昇させる駆動手段を設けて構成する。
【００１３】
実施の形態２．
実施の形態２は、上扉５に収納部７２を設ける必要の無い上下扉５，６の構成を備えたダムウェータである（非図示）。
即ち、上記実施の形態１において、上扉５には収納部７２を設けているが、上扉５の背面側が下扉６の正面側と引き違いとなる構成とした場合には、上扉５の背面側が自由空間となるので、収納部７２を設ける必要はない。
【００１４】
実施の形態３．
実施の形態３は、間隙塞ぎ手段としての塞ぎ板７をカゴ室２の床２１の厚さ幅内に出し入れ自在に収納させた構成のダムウェータである（非図示）。
この構成の場合には、出し入れ口１が開口した際、必要があれば、手動で、塞ぎ板を出し入れ口枠３に引出し先端側が届くように引出し、使用後は、押し込んで床２１に収納させることになる。
尚、上記の塞ぎ板は必ずしも、床２１の内部に収納する必要はなく、例えば、床２１自体がそのまま、引出されるように構成してもよい。
又、上記何れの場合においても、塞ぎ板の出し入れを手動で行うのではなく、適宜の駆動手段を用いて、自動的に出し入れできるように構成することもできる。
【００１５】
【発明の効果】
この発明によれば、上下方向に互いに離れ或いは出会って出し入れ口を開閉する上扉および下扉と、出し入れ口が開口される際、カゴ室の床と出し入れ口枠の下縁との間の間隙を塞ぐ塞ぎ板とを備えたダムウェータにおいて、塞ぎ板は、カゴ室の床と出し入れ口枠の下縁との間に架け渡される幅を有し、当該幅方向において揺動するよう下扉の開放端側に枢着され、出し入れ口が上扉および下扉によって閉口されているとき、上扉と下扉との間に挟まれて略垂直状態で納められ、出し入れ口が開口されているとき、上扉による拘束が解かれて自重により水平となるので、カゴ室からの物品の出し入れに際して、間隙からの物品の落下を防ぐことができる。
【図面の簡単な説明】
【図１】  出し入れ口が閉口した状態を示す斜視図である。
【図２】  出し入れ口が開口した状態を示す斜視図である。
【図３】  隙間塞ぎ手段の各作動段階を（Ａ）乃至（Ｄ）にて示す説明図である。
【図４】  従来のダムウェータの出し入れ口を示す斜視図である。
【符号の説明】
１  出し入れ口、２  カゴ室、３  出し入れ口枠、４  間隙、５  上扉、６  下扉、７  塞ぎ板（間隙塞ぎ手段）、２１  床（カゴ室）、３１  下縁（出し入れ口）、７１  蝶番（枢着部）、７２  収納部（上扉）。
【図１】
0003844938.tif 000002
【図２】
0003844938.tif 000003
【図３】
0003844938.tif 000004
【図４】
0003844938.tif 000005